Podtech/llm-jp-corpus-v4-ja_patent huggingface dataset:
(57)【要約】【課題】ＬＥＤチップの下面からの光が有効に活用されていない。【解決手段】回路基板２の略中央部に底面に球面部２ａとその上に広がる円錐部２ｂとよりなる反射枠を形成し、この反射枠の内面に、反射手段として、銀やアルミニウムなどの蒸着によって形成された金属反射膜３を形成する。前記球面部２ａ内に透明樹脂６を注入し、該透明樹脂６の上面にＬＥＤチップ７を実装し、ＬＥＤチップ７を覆うように透光性樹脂９で封止する。ＬＥＤチップの下面からの光は、球面部２ａで反射・集光されてＬＥＤチップの上面方向に出射されるので、光のロスがなく高輝度化される。また、球面部の形状を変化させることにより、セットに適した配光特性が得られる。【選択図】      図１
2005056941.tif 000002
【特許請求の範囲】
【請求項１】
回路基板にＬＥＤチップを実装し、該ＬＥＤチップを透光性樹脂で封止した発光ダイオードにおいて、前記回路基板の略中央部に反射手段を有するパラボラ状の反射枠を形成し、該反射枠内に透明樹脂を注入し、該透明樹脂の上面にＬＥＤチップを実装し、該ＬＥＤチップを覆うように透光性樹脂で封止したことを特徴とする発光ダイオード。
【請求項２】
前記パラボラ状の反射枠は、底面に球面部とその上に広がる円錐部とよりなり、前記反射枠の内面には、反射手段として、銀やアルミニウムなどの蒸着によって形成された金属反射膜を有し、前記球面部内に透明樹脂を注入し、該透明樹脂の上面で且つ、前記球面部の中心部にＬＥＤチップを実装し、該ＬＥＤチップを覆うように透光性樹脂で封止したことを特徴とする請求項１記載の発光ダイオード。
【発明の詳細な説明】
【０００１】
【発明の属する技術分野】
本発明は、パーソナルコンピューター、プリンター、ＰＤＡ、ファクシミリ、ページャー、携帯電話等の民生機器に使用される発光ダイオードに関する。
【０００２】
【従来の技術】
近年、光通信機能を搭載したノート型パソコン、ＰＤＡ、携帯電話等の携帯機器などの各種電子機器の表示装置として、薄型で見やすいバックライト機構を備えた液晶表示装置が広く用いられている。従来から軽薄短小を追求する電子機器向けに提供された表面実装型の発光ダイオードとして、一般的にガラエポ基板の上面に一対の上面電極をパターン形成し、その上に透明接着剤によりＬＥＤチップを固着し、ワイヤボンディング実装するとともに、前記ＬＥＤチップを覆うように透光性樹脂で封止した構造のものがある。この構造の発光ダイオードは、リフレクタ部がなく、ＬＥＤチップから出射光が透光性樹脂の側面に出るので、光の利用効率が悪かった。そこでＬＥＤチップから出た光の利用効率を良くした発光ダイオードが広く使用されている。（例えば、特許文献１）
【０００３】
【特許文献１】
特許願２００２−２８０６１４号（第２頁、図５）
【０００４】
上記した特許文献１は、図２に示すように、発光ダイオード１０は、銀メッキされたリードフレーム１１ａ、１２ａを白色成形樹脂でインサート成形して絶縁基板１３を形成し、前記リードフレーム１１ａ、１２ａの上に、透明接着剤１４によってＬＥＤチップ１５を固着すると共に、ＬＥＤチップ１５の上面電極とリードフレーム１１ａ、１２ａと金属細線よりなるボンディングワイヤ１６で接続し、前記ＬＥＤチップ１５を取り囲むように絶縁基板１３の上方に向かってパラボラ状に広がるリフレクタ部１７ａを有する反射部材１７を配設する。前記ＬＥＤチップ１５を覆うように透光性樹脂１８で封止されている。前記発光ダイオード１０はプリント基板１９に半田２０で表面実装される。
【０００５】
【発明が解決しようとする課題】
上記した発光ダイオード１０は、ＬＥＤチップ１４からの光がパラボラ状に広がるリフレクタ部１６ａで反射して上方に出射されるが、ＬＥＤチップ１４の下面から発光した光を有効に活用できなく、光のロスが大きいと言う問題があった。
【０００６】
本発明は上記従来の課題に鑑みなされたものであり、その目的は、ＬＥＤチップからの光の利用効率を向上させた発光ダイオードを提供するものである。
【０００７】
【課題を解決するための手段】
上記目的を達成するために、本発明における発光ダイオードは、回路基板にＬＥＤチップを実装し、該ＬＥＤチップを透光性樹脂で封止した発光ダイオードにおいて、前記回路基板の略中央部に反射手段を有するパラボラ状の反射枠を形成し、反射枠内に透明樹脂を注入し、該透明樹脂の上面にＬＥＤチップを実装し、ＬＥＤチップを覆うように透光性樹脂で封止したことを特徴とするものである。
【０００８】
また、前記パラボラ状の反射枠は、底面に球面部とその上に広がる円錐部とよりなり、前記反射枠の内面には、反射手段として、銀やアルミニウムなどの蒸着によって形成された金属反射膜を有し、前記球面部内に透明樹脂を注入し、該透明樹脂の上面で且つ、前記球面部の中心部にＬＥＤチップを実装し、ＬＥＤチップを覆うように透光性樹脂で封止したことを特徴とするものである。
【０００９】
【発明の実施の形態】
以下、図面に基づいて本発明における発光ダイオードについて説明する。図１は、本発明の実施の形態に係わる発光ダイオードの断面図である。
【００１０】
図１において、１は発光ダイオードである。その構成について説明する。２は回路基板で、該回路基板２は、その略中央部にパラボラ状をした球面部２ａと、該球面部２ａの上に広がる円錐部２ｂを形成し、その表面に予め反射手段として銅やアルミニウムなどの蒸着によって形成された金属反射膜（リフレクタ部）３を付与した立体成形基板、例えば、ＭＩＤ基板／アルミナ基板で、  該回路基板２に一対のリードフレーム電極４、５を形成する。前記回路基板２に形成された球面部２ａ内に透明樹脂６を注入し、該透明樹脂６の上面で且つ、球面部２ａの中心部にＬＥＤチップ７を透明接着剤８で固着し、ワイヤボンディングする。その後、前記ＬＥＤチップ７を覆うように透光性樹脂９で封止する。前記発光ダイオード１はプリント基板１９に半田２０で表面実装される。
【００１１】
以上述べた構成の発光ダイオードの作用・効果について説明する。図１において、前記ＬＥＤチップ７からの出射光のうち、下面方向からの光は前記球面部２ａに形成された金属反射膜３で反射・集光されて、回路基板２の上方に出射される。また、ＬＥＤチップ７からの出射光のうち、側面方向からの光は、前記球面部２ａまたは円錐部２ｂに形成された金属反射膜３で反射されて、前記ＬＥＤチップ７の上面方向への出射光と相乗して高輝度化される。
【００１２】
【発明の効果】
以上説明したように、本発明によれば、前記ＬＥＤチップからの出射光のうち、特に、下面方向からの光は回路基板の球面部に形成された金属反射膜で反射・集光されるので、ＬＥＤチップからの出射光がロスなく有効に活用される。また、同時に、反射枠に形成される球面部と円錐部の形状を変えることにより、セットに適した配光特性が得られる発光ダイオードを提供することが可能である。
【図面の簡単な説明】
【図１】本発明の実施の形態に係わる発光ダイオードの断面図である。
【図２】従来の発光ダイオードの断面図である。
【符号の説明】
１  発光ダイオード
２  回路基板
２ａ  球面部
２ｂ  円錐部
３  金属反射膜
６  透明樹脂
７  ＬＥＤチップ
９  透光性樹脂
【図１】
2005056941.tif 000003
【図２】
2005056941.tif 000004
(57)【要約】【課題】  磁気カードリーダーは直接的にも間接的にも磁気カードしか読み取りできないことを解決する方法を提供する。【解決手段】  磁気カードリーダー１内の磁気ヘッドの近くに電磁誘導用のコイル４を設置し、このコイル４に対して外部装置７からのデーターを周波数または時間または振幅変調した電流を、このコイル４に流す。コイル４から発生した電磁誘導を磁気カードリーダー内の磁気ヘッド２で受信を行う。受信した磁気的なデーターは磁気ヘッド２で電圧となり、磁気カードリーダー１内の電子回路でデーター処理される。この事により従来、磁気カードリーダー１では磁気カードしか読み取れなかった事実を間接的に非接触カードまたはバーコードなど、他のメディアのデーターを読み取る事が実現できる。【選択図】  図１
2005056540.tif 000002
【特許請求の範囲】
【請求項１】
磁気カードリーダー内の磁気ヘッドの近くに設置したコイルに、この磁気ヘッドに対して通信するデーターを周波数、時間または振幅などで変調した電流を流し、電磁誘導で磁気カードリーダー内の磁気ヘッドを受信器として接触せずにデーターを送信する。
【発明の詳細な説明】
【技術分野】
【０００１】  本発明は、磁気カードリーダーおよび非接触認識関連分野で、磁気カードリーダーで他メディアを間接的に読み取り可能な分野に関する。
【背景技術】
【０００２】  従来は磁気カードリーダーは磁気カードしか読み取りができなかった。
これは磁気カードリーダーが内蔵された磁気ヘッドに接触した磁気カードの移動によって発生した信号電圧のみを対象にしていた為である。
よって本発明以外の方法では磁気カードリーダーで磁気カード以外のメディアの読み取り処理はの実現は不可能であった。
【発明の開示】
【発明が解決しようとする課題】
【０００３】  本発明は磁気カードしか読み取れなかった磁気カードリーダーで、磁気カード以外の非接触あるいはバーコードなど他のメディアの情報の読み取りを可能にして課題を解消するためになされたものである。
【課題を解決するための手段】
【０００４】  磁気カードリーダー内に設置された磁気ヘッドの近くに電磁的に結合が可能なコイルを設置し、このコイルにデーターを周波数または時間または振幅変調した電流を流すことで磁気カードリーダー内の磁気ヘッドに対してデーターを送信する事ができる。
【発明の効果】
【０００５】  この発明により、磁気カードリーダー以外の非接触カードリーダーまたはバーコードリーダーなどからのデーターを、設置した磁気コイルから磁気カードリーダー内の磁気ヘッドに電磁誘導で情報を伝える事で、磁気カードのみ読み取り可能な磁気カードリーダーで間接的に他のメディアを読みとる事が可能になる。
さらに効果としましては社会に数多く運用されている磁気カードリーダーのハードおよびソフトの資源をそのまま利用して非接触カードなどの他のメディアの読み取りが可能となる。
【発明を実施するための最良の形態】
【０００６】  以下、本発明の最良の形態について説明する。
（イ）．磁気カードリーダー１の近くに電磁誘導のための磁気コイル４を設置する。
（ロ）．この磁気コイルにデーター情報を周波数または時間変調した交流電流を流す。
（ハ）．磁気コイルから電磁誘導により発生した磁界の変化を磁気カードリーダー内の磁気ヘッド２で受信し、電圧信号に変換する。
（ニ）．得られた電圧信号は電子回路によりデジタル処理できる信号に変換される。
【実施例１】
【０００７】  図２は本発明の実施例として電磁誘導のデーター送信源として非接触カードリーダー使用した例である。
磁気ヘッドへのデーター変調形式は磁気カードリーダー標準フォーマットであるＦ２Ｆ方式を採用しているので非接触カードを間接的に読み取る事で、磁気カードを読み取った形態と同じ状態が実現できる。
【産業上の利用可能性】
【０００８】  現在多くの産業で磁気カードリーダーが運用されており、徐々に非接触カードなどの他の認識メディアに置き置き換えられているが、磁気カードのシステムでのハードおよびソフトの蓄積された資産は膨大なものになり、設備費用の面から簡単にに磁気カードリーダーを非接触カードリーダーなどに置き換える事が困難である。
この発明により、既存の磁気カードリーダーおよびソフトウエアーを変更せずに別の装置で得られたデーターを磁気カードの標準変調方式でありますＦ２Ｆなどで変調し、電磁誘導のコイルを経由して磁気カードリーダー内の磁気ヘッドで受信することで、磁気カードリーダーで間接的ではあるが他のメディアを読み取る事が実現でき、社会に大きく貢献できる事になる。
【図面の簡単な説明】
【０００９】
【図１】  本発明の動作構成図である。
【図２】  本発明の非接触カードリーダー分野に於ける実施例である。
【符号の説明】
【００１０】  １  磁気カードリーダー
２  磁気ヘッド
３  電磁誘導による磁力線
４  電磁誘導用コイル
５  コイル駆動用電流回路
６  周波数または時間変調回路
７  他メディア読み取り装置
【図１】
2005056540.tif 000003
【図２】
2005056540.tif 000004
(57)【要約】【課題】最近自動車が非常に進歩した事によりエンジンルーム内の装置が多くなりベルトなどのゆるみ損傷などの点検が手が入りずらくて苦労している、叉各装置の影になって従来の大きな作業灯では暗くて取替整備など効率よく正確な作業が出来ない。そこで照射しながら押すことによってベルトなどのたわみを点検したり明るさによって正確に取替整備の出来る細くて長い押したり引いたり出来る作業灯を提供する。【解決手段】細く長い柄３の一端に電球２を設けさらにベルトを押す部１を設けさらにあかり窓５を設けもう一端に配線６クリップ４を設ける。そしてクリップ４をバッテリーに接続して電球２を点灯させる。この作業灯をエンジンルーム内にさし込んでベルトなどを照らしながら押部１をベルトにあてて押したり引いたりしてゆるみを点検したり叉部品取替整備などを行う。【選択図】図２
2005056811.tif 000002
【特許請求の範囲】
【請求項１】
柄の一端に照射部と押引部を設けた押したり引いたり出来る作業灯
【発明の詳細な説明】
【発明の詳細な説明】
【技術分野】
【０００１】本発明は自動車の点検整備作業時にエンジンルーム内の狭い所に入り易くした細くて長い作業灯に押したり引いたり出来る装置をつけたものに関するものである。
【背景技術】
【０００２】最近自動車が非常に進歩した事によりエンジンルーム内も色々な装置が多くなり狭くて暗くてファンベルトなど部品の損傷を見たりゆるみ具合を手で押して点検するのに手が入りづらいなどで大変苦労している。
にもかかわらずそとから照射するだけの作業灯叉は電池式小型灯を使用している現状である。
【発明が解決しようとする課題】
【０００３】（イ）交流を使用した作業灯はほとんど大きくて各装置の影になって細部を明るくすることが出来ない。さらに工場、スタンドなどでは長いコードを引きずって行かなくてはならないなど場所が限定される。
（ロ）電池式の小さい作業灯はすぐ容量がなくなって毎日の作業としての使用には耐えられないし明るさが不足する。
（ハ）点検整備としてはベルト類の損傷、ゆるみの点検が最も多いのに狭くて手が入らないのでベルトを押してゆるみを点検したり損傷を確認することが困難である。さらに細部は暗いので部品の取替調整も大変である。
【課題を解決するための手段】
【０００４】細く長い柄３の一端に電球２を設け、さらにベルトを押す部１を設け、さらに明り穴５を設け、もう一端に配線６及びクリップ４を設ける。
本発明は以上のような構成よりなる作業灯である。
【発明を実施するための最良の形態】
【０００５】以下本発明の実施の形態について説明する。
（イ）細く長い柄３の先端に押部１を設けさらに電球２を中空内部に設ける。
（ロ）柄３の先端に明り窓として穴５を多数あける。
（ハ）配線６及びバッテリーの端子につなぐクリップ４を設ける。
本発明は以上のような構造でこれを使用する時はクリップ４をバッテリーに接続することによって電球２が点灯する。すると先端及び窓５より明りが出る。この状態で柄３の端をにぎり先端の押部１をエンジンルーム内のベルトにあてて押す。このたわみ量によってゆるみを点検する。さらにこの細部も照らす明りにより部品の損傷具合や取替整備などを効率よく正確に出来るものである。
電源はバッテリーからとるので作業する場所はどこでも良い。叉電池式にしたり交流を使用する場合、電球、配線を替えれば同等に使用出来る。
叉先端は編状とか柵状などにしても同様の効率をうることが出来る。
【発明の効果】
【０００６】最近の手の入る隙開もない自動車エンジンルーム内のベルトなどのゆるみを点検するのに手を入れなくても出来るし叉細部まで明るいので損傷確認、取替整備作業も正確に出来、さらにバッテリー電源の場合、場所はどこでも作業することが出来、さらに毎日使用しても電池式のように替える必要もない。
【図面の簡単な説明】
【図１】本発明の斜視図である。
【図２】本発明の一部を切り欠いた図面である。
【符号の説明】
１  押す部となる棒
２  電球
３  中空筒柄
４  クリップ
５  あかり穴
６  配線
【図１】
2005056811.tif 000003
【図２】
2005056811.tif 000004
(57)【要約】【目的】  この発明は埋め込みボックスの入った壁とコンセントプレートの間にはさんで使用し、工事の際、コンセントプレートより大きくなった穴および傷を隠す為のもの、また、両面テープ付きの器具の取り付け、また、ネームプレートとなる、また、コンセントに挿したプラグコードの重さでプラグが抜けてしまうのを押さえる装置に関するものである。【構成】  プレート（１）に埋め込みボックスの凹みに合わせた穴（２）と埋め込みボックスのねじ位置に楕円又は丸穴（３）とプレート（１）裏面に切断用の溝（４）、プレート（１）外周側面を傾斜面（５）で成り立っている。また、吸盤（６）にひも（７）で成り立っている。【選択図】  図１
2005056809.tif 000002
【特許請求の範囲】
【請求項１】
（イ）埋め込みボックスの凹みに合わせたサイズの穴（２）が空いた板
（ロ）ボックスのねじの位置に楕円の穴又は丸穴（３）の空いた板
（ハ）コンセントプレート又はスイッチプレートの径より大きなプレート径の板（１）
（ニ）傾斜面の外回り（５）
（ホ）裏面に切り欠き用の溝（４）
【請求項２】
（ヘ）キュウバン（６）にひも（７）を付けて、電気プラグコードに縛り付け、重い電気コードをプレート（１）に吸い付けた吸盤の力で支え、プラグを抜けないようにする装置
【発明の詳細な説明】
【発明の詳細な説明】
【産業上の利用分野】
【０００１】    この発明は、埋め込みコンセントカバーと壁の間に挿んで使い、コンセントボックス取り付け時の壁の綻びを隠したり、端末差し込みプラグのアダプター裏面の両面テープでの取り付け場所として利用し、この板に吸盤を吸い付け、重い電気コードと吸盤にひもでつなげて、電気プラグを抜けない様にする装置に関するものである。
【背景技術】
【０００２】    従来、コンセントボックス取り付けの工事はコンセントカバーに合わせて壁の傷をはみ出さない様にするのが大変苦労していた。しかも近年コンセントに差し込むプラグに両面テープで貼り付けるタイプのモノまで登場してきたが、壁が両面テープでは付きにくいことが多かった。又、電気プラグはコードの重みで、抜け安かった。
【発明が解決しようとする課題】
【０００３】    したがって、各工事者は壁に大きく取りすぎた穴や傷を隠すため、余計な出費かけていた。一方、プラグについたアダプターを両面テープで付けても、すぐにはがれ落ちていた。また、電気プラグのコードの重みで、プラグがコンセントから、抜けやすかった。
こうした使用者の要望に答える為に発明されたものである。
【課題を解決するための手段】
【０００４】  いま、その構成を説明すると、
（イ）コンセントプレートより大きいサイズのプレート（１）の中央に埋め込みボックスの凹み径とほぼ同じ径の穴（２）とねじ穴位置に楕円の穴、又は丸穴（３）を設ける。
（ロ）本発明プレート（１）をボックスの入った壁に先に付け、その表に金具、その表にコンセントカバーとなる。
（ハ）吸盤（６）とプラグコードをひも（７）でつなげて、吸盤（６）をプレート（１）に吸い付ける。
以上のように装置する。
【作用】
【０００５】次に本発明の作用を述べると、見栄えが良いので、工事の際、壁に大きく開けすぎた  穴や傷の不快感を感じさせない。また、両面テープで取り付けた器具をがっちり固定できた。また、プラグのネー厶板としても、使えた。また、コンセントに挿したプラグがコードの重みで抜けやすかったのを押さえた。
【実施例】
【０００６】    埋め込みコンセントを２つ以上くっつけて並べる場合、裏面の溝を利用して板チョコを割るように切断して使用し、コンセントおよび本発明品をいくつでも、並べることが出来る。
【発明の効果】
【０００７】    コンセント取り付け工事によって、コンセントプレートより大き過ぎた穴や傷を隠す事が出来る。又、両面テープ付きの装置も見栄え良く、しっかり固定出来る。また、プラグに通じる器具の名前も付ける事が出来る。また、コンセントに挿したプラグがコードの重みで抜けるのを押さえた。
【図面の簡単な説明】
【０００８】
【図１】本発明の表面斜視図
【図２】本発明の裏面図
【図３】本発明の図２のＡ−Ａ断面図
【図４】本発明の実施例の斜視図
【図５】本発明の他の実施例の斜視図
【図６】本発明の使用斜視図
【符号の説明】
【０００９】１はプレート
２は埋め込みボックスの凹みに合わせた穴
３は埋め込みボックスのねじ位置に合わせた楕円又は丸穴
４は切断用の溝
５は傾斜面
６は吸盤
７はひも
【図１】
2005056809.tif 000003
【図２】
2005056809.tif 000004
【図３】
2005056809.tif 000005
【図４】
2005056809.tif 000006
【図５】
2005056809.tif 000007
【図６】
2005056809.tif 000008
(57)【要約】【目的】セラミックの電池で、従来の電池よりも長時間使用可能なものを作る。【構成】ＰｂＦｅ２Ｏ３，ＰｂＴｉＯ３，ＰｂＺｒＯ３の三成分素、圧電素子を基としているが、出力において、添加物、Ｃｒ２Ｏ３、Ｎａ２Ｏ，ＭｇＯの効果が大きい。【効果】研究を進めた結果がより実用に近づいているが更に出力が上れば、電池のみならず、自動車のバッテリー、ひいてはエンジンに使用可能である。【特許請求の範囲】
一般式ＸＰｂＦｅ２Ｏ４−ＹＰｂＴｉＯ３−ＺＰｂＺｒＯ３で示される三成分系磁器組成物で、Ｘ．Ｙ．Ｚが、０．００１≦Ｘ≦０．０７５  Ｙ＝０．４８  Ｚ＝０．５２（モル）で、添加物  Ｃｒ２Ｏ３．Ｎａ２Ｏ．ＭｇＯを加えたセラミック電池
【請求項１】
０．００５≦Ｃｒ２Ｏ３≦０．０７５モルを加えた組成によるセラミック電池
【請求項２】
Ｃｒ２Ｏ３に０．００５≦Ｎａ２Ｏ≦０．０７５モル加えたセラミック電池組成による
【請求項３】
Ｃｒ２Ｏ３，Ｎａ２Ｏ３に０．００５≦ＭｇＯ≦０．０７５モル加えた組成によるセラミック電池
【発明の詳細な説明】
【発明の詳細な説明】
本発明はプロブスカイト型多結晶の強誘電性圧電磁器ＰｂＴｉＯ３−ＰｂＺｒＯ３にスピネル型フェライトＰｂＦｅ２Ｏ４を固容せしめた三成分系組式物ＰｂＦｅ２Ｏ４−ＰｂＴｉＯ３−ＰｂＺｒＯ３に関するものである。
その目的とするものは、機械的圧力を加えることなく長時間電流出力を得られる強誘電性磁器組成物を提供することにある。さらに先に出願したセラミック電池は出力が非常に小さかった点を改め、実用に供するまで、出力を増加させたところにある。しかし、まだ経時変化が大きく、更に改良する余地はある。
従来磁器圧電体材料は機械的な応力を加えることにより、電流出力が得られるものであったが、本発明はスピネル型フェライトＰｂＦｅ２Ｏ４固溶させることにより、ペロガスカイト型結晶そのものに機械的応力を与え、長時間、電流出力が得られるようにさせたものである。
本発明の化学式は次のように示される。
ＸＰｂＦｅ２Ｏ４−ＹＰｂＴｉＯ３−ＺＰｂＺｒＯ３
但し、Ｘ．Ｙ．Ｚはモル比で
Ｘ＋Ｙ＋Ｚ＝１
これに添加済をそれぞれ０．５モル〜７．０モルを加える。
添加物は、Ｃｒ２Ｏ３．ＭｇＯ．Ｎａ２Ｏである。
【実施例】  素原料として、ＰｂＯ．Ｆｅ２Ｏ３．ｔｉＯ２．ＺｒＯ２．Ｃｒ２Ｏ３．Ｎａ２ＣＯ３．ＭｇＯを用い、例えば、第一表に示される組成になるように秤量し、アルミナボールを使用して、ポットミルにて２時間湿式混合を行う。
混合した材料を乾燥した後８００℃で１時間仮焼成し、それを湿式粉砕した後適当なバインダーを混合し、８０メッシュのふるいを通して整粒する。この粉体を直径２５ｍｍ厚さ２ｍｍの円板に圧力、１．５ｔ／ｃｍ２で成型し、第１表に示す焼成温度で、２時間保持して、焼成を行う。冷却後、円板を１ｍｍの厚さにラップし、銀電極を６００℃で焼き付ける。その１５００Ｖ〜３０００Ｖ／の高圧をかけ常温で２０分間分極する。
以上の工程を通じて、得られた磁器組成物の出力を第１表にて示す。
本発明で得られた磁器組成物は、１個の出力は小さいが数多く集めることにより、出力を高めることができる。電池、自家発電、電気自動車等に用いられる可能性がある。
2005056810.tif 000002
【手続補正書】
【提出日】平成15年11月5日(2003.11.5)
【手続補正３】
【補正対象書類名】特許請求の範囲
【補正対象項目名】全文
【補正方法】変更
【補正の内容】
【特許請求の範囲】
【請求項１】
一般式×ＰｂＦｅ２Ｏ４−ＹＰｂＴｉＯ３−ＺＰｂＺｒＯ３で示される三成分素磁器組成物で、Ｘ・Ｙ・Ｚが、Ｘ＋Ｙ＋Ｚ＝１であり、０．００１≦×≦０．０６。に、添加物Ｃｒ２Ｏ３を０．００５≦Ｃｒ２Ｏ３≦０．０７５モルを加えた組成によるセラミック電池。
【請求項２】
一般式×ＰｂＦｅ２Ｏ４−ＹＰｂＴｉＯ３−ＺＰｂＺｒＯ３で示される三成分素磁器組成物で、Ｘ、Ｙ、ＺがＸ＋Ｙ＋Ｚ＝１であり、０．００１≦×≦０．０６に、添加物Ｃｒ２Ｏ３に更に添加物Ｎａ２Ｏ・を０．００５≦Ｎａ２Ｏ≦０．０７５モルを加えた組成によるセラミック電池。
【請求項３】
一般式×ＰｂＦｅ２Ｏ４−ＹＰｂＴｉＯ３−ＺＰｂＺｒＯ３で示される三成分素磁器組成物で、Ｘ、Ｙ、ＺがＸ＋Ｙ＋Ｚ＝１であり、０．００１≦×≦０．０６に、添加物Ｃｒ２Ｏ３，Ｎａ２Ｏに更に添加物ＭｇＯを０．００５≦ＭｇＯ≦０．０７５モルを加えた組成によるセラミック電池。
(57)【要約】【目的】  Ｉ．Ｔ．機器などのセキュリティーのために筆跡による個人認証のための筆跡鑑定法を提供する。【構成】  ドット式センサー面の筆跡の線の各ドットにおける接線の傾きを暗証番号とする。【選択図】図１
2005056366.tif 000002
【特許請求の範囲】
【請求項１】
ドット式センサー面の筆跡の線の各ドットにおける接線の傾きを暗証番号とする筆跡鑑定法
【発明の詳細な説明】
【発明の詳細な説明】
［産業上の利用分野］
【０００１】本発明は、Ｉ．Ｔ．関連機器のセキュリティーのための筆跡鑑定による暗証番号の生成方法に関する。［従来の技術」
【０００２】従来の筆跡鑑定は、文字の大小、文字の傾きなどに対処して十分鑑定できなかった。［発明が解決しようとする課題］
【０００３】本発明は、筆跡の文字の大小、傾きなどの場合も、その筆跡の同一性を高精度で判別できる暗号化法を、提供する。［課題を解決するための手段］
【０００４】ドット式センサー面の筆跡の線の各ドットにおける接線の傾きを暗証番号とすることを特徴とする。［作用］
【０００５】ドット式センサー面の筆跡の線の各ドットにおける接線の傾きを暗証番号とする。［実施例］
【０００６】本発明の最適な実施例を述べる。［図１］において、ドット式センサー面（１）上のドットセンサーａ（２，４）における接線の傾きＳ６は、ａ（２，４）に最も近い線上のドットはａ（１，３）とａ（３，４）である。ここで、ドットａ（１，３）とドットａ（３，４）との縦方向の距離は２ｄＹであり、横方向の距離は、ｄＸである。従って、点ａ（２，４）における接線の傾きＳ６は              Ｓ６＝２ｄＹ／ｄＸ………（１）となり、このＳ６の値が点ａ（２，４）の暗号値となる。同様の方法により筆跡の線上の全てのドットに対応する接線の傾きＳ１〜Ｓ１０が、当該筆跡の線の暗証番号である。しかも、この暗証番号は、筆跡の傾き、及び筆跡の大小に無関係に一定である。［発明の効果］
【０００７】本発明により、Ｉ．Ｔ．機器などの個人認証のための筆跡鑑定を、より簡便に、かつ、手書きによる筆跡の傾き、大小に関係なく行うことができる。
【図面の簡単な説明】
【図１】はドット式センサー面と、それに記された筆跡との上平面図である
【符号の説明】
（１）はドット式センサー面である。  （２）はドット式センサーである。  （３）は筆跡である。  （４）は当該筆跡の接線である。  （ａ１１）〜（ａ５５）はドット式センサー群である。
【図１】
2005056366.tif 000003
(57)【要約】【課題】  従来のクーポン券では利用したいクーポン券がインターネットにある場合は、膨大な数の中から利用したいクーポン券を探すには多くの入力と時間と操作などの手間が必要としています。携帯電話などでは画面が小さく、入力する事にも手間がかかる。地域ごとに発行されている雑誌などはその地域でないとそれに掲載されているクーポン券を利用する事は難しい。【解決手段】  ユーザーが膨大な数のクーポン券からユーザーが欲しいクーポン券をユーザー自身が探し出すのではなく、キャラクターがユーザーに変わってユーザーの利用したいクーポン券の情報を定期的且つ自動的に集めたユーザー総合クーポン情報を携帯電話や持ち歩いている情報端末等に送受信される事により、ユーザーが手軽且つ簡単に利用したい地域のクーポン券や業種のクーポン券などを手に入れる事が出来る。【選択図】図１
2005056365.tif 000002
【特許請求の範囲】
【請求項１】
インターネットを利用し、ユーザーがユーザー情報を登録し、且つ複数のキャラクターからキャラクターを選択し、ユーザーが選択したキャラクターが登録したユーザーデーターとクーポン券のデーターベースから定期的且つ自動的にユーザーに適したクーポン券の情報を携帯電話や持ち運べる情報端末に送受信をするシステム。
【請求項２】
ユーザーがキャラクターの特徴を変更や追加や削除が出来、ユーザー独自のキャラクターが作られるシステム。
【請求項３】
ユーザーが利用したい店舖や企業や商品を登録した場合、そのクーポン券が発行された場合、自動的にユーザーのクーポン券情報に追加されるシステム。
【発明の詳細な説明】
【技術分野】
【０００１】  本発明はユーザーに変わってキャラクターが欲しいクーポン券を集めて携帯電話などの携帯端末に情報を送るシステムに関する。
【発明の開示】
【発明が解決しようとする課題】
【０００２】  クーポン券の情報の集まったインターネットのサイトはクーポン券の数が膨大に増えるほどにいろんなクーポン券があっていいのですが、その膨大になったクーポン券の情報から携帯電話などの画面の小さくて入力のしづらい情報端末で通常の検索でユーザーが欲しいクーポンを探し出すのは多くの入力と時間と操作などの手間が必要としています。パソコンでも同様に多くの入力と時間と操作などの手間が必要としています。【０００３】  地域ごとに発行されている雑誌などはその地域でないとそれに掲載されているクーポン券を利用する事は難しい。
【課題を解決するための手段】
【０００４】  ユーザーにＩＤとパスワードとメールアドレスと最寄り駅やよく利用する駅や住所などをインターネットで登録してもらう事により、ユーザー情報データーベースにユーザー情報が登録される。【０００５】  キャラクターデーターベースにはあらかじめ複数のキャラクターが存在し、それぞれに特徴を持っている。ユーザーがそのキャラクターの特徴を変更する事により、ユーザー独自のキャラクターになる為、効率良くユーザーの利用したいクーポンを探す事が可能になる。【０００６】  クーポン券データーベースにはクーポン券の情報が登録されている。クーポン券を発行したい店舗や企業がインターネットからクーポン券を登録や変更や削除をする事が可能。【０００７】  ユーザーが上記のユーザー情報データーベースにユーザー情報が登録して、上記の複数のキャラクターからキャラクターを選ぶ事により、キャラクターがユーザー情報データーベースのユーザー基本情報とクーポン券データーベースからユーザーが利用したいクーポン券を定期的且つ自動的に選び出し、ユーザー総合クーポン券情報が作られ、携帯電話や持ち歩いている情報端末等に送受信される。
【発明の効果】
【０００８】  ユーザーが膨大な数のクーポン券からユーザーが欲しいクーポン券をユーザー自身が探し出すのではなく、キャラクターがユーザーに変わってユーザーの利用したいクーポン券の情報を定期的且つ自動的に集めたユーザー総合クーポン情報を携帯電話や持ち歩いている情報端末等に送受信される事により、ユーザーが手軽且つ簡単に利用したい地域のクーポン券や業種のクーポン券などを手に入れる事が出来る。
【発明を実施するための最良の形態】
【０００９】  以下、本発明の実施の形態を図１に基づいて説明する。【００１０】  図１において、システムの基本的なネットワーク構成が示され、ユーザー情報データーベースとキャラクターデーターベースとクーポン券データーベースとユーザー総合クーポン券情報はインターネットに接続されたシステムサーバー内にある。携帯電話や持ち歩いている情報端末にはインターネットを利用して送受信する。【００１１】  ユーザーがインターネットからパソコンや携帯電話や持ち歩いている情報端末から、ＩＤとパスワードとメールアドレスと生年月日と最寄り駅とよく利用する駅などを登録するとシステムサーバーがＹ１としてユーザー情報データーベースに登録される。【００１２】  ユーザーが複数あるキャラクターからＣ１という特徴を持ったキャラクターを選ぶことにより、キャラクターデーターベースからＣ１という特徴を持ったキャラクターがＹ１というユーザー情報とクーポン券データーベースから定期的且つ自動的にユーザーに適したクーポン券の情報を集め、ユーザー総合クーポン券情報を作り、携帯電話や持ち運べる情報端末に送受信をする。【００１３】  ユーザーがキャラクターデーターベースのキャラクターの特徴を変更や追加や削除などをする事により、そのユーザー独自のキャラクターが作られ、キャラクターデーターベースに自動的に登録される。そのユーザー独自のキャラクターが他のキャラクターと同様にユーザー情報とクーポン券データーベースから定期的且つ自動的にユーザーに適したクーポン券の情報を集め、ユーザー総合クーポン券情報を作り、携帯電話や持ち運べる情報端末に送受信をする。【００１４】  ユーザーが利用したい店舗や企業や商品をユーザー総合クーポン券情報に登録する事が出来る。そのクーポン券が発行された場合、自動的にユーザー総合クーポン券情報へ追加される。
【図面の簡単な説明】
【００１５】
【図１】本発明におけるユーザーとユーザー情報データーベースとキャラクターデーターベースとクーポン券データーベースとユーザー総合クーポン券情報の関係性を示したシステム図である。
【符号の説明】
【００１６】  Ｙ１〜Ｙ５  ユーザーが登録した場合、システムサーバーがユーザーデーターベースにユーザーを登録するときに自動的に付けた番号
Ｃ１〜Ｃ６  キャラクターデーターベース内のキャラクター
Ｋ１〜Ｋ８  クーポン券データーベース内のクーポン券
【図１】
2005056365.tif 000003
(57)【要約】【課題】  スーパーやコンビニ等での万引きによる被害は予想以上に大きく、この防止手段であって、大掛りな設備の必要もなく確実に万引きを防止できるシステムを提供する。【解決手段】  重量計及び数量カウント機能付きのバスケットを使用し、店内の随所に設けたバーコード読取り端末機を介して、購入する商品をこのバーコード読取り端末機を通してバスケットに入れることによってレジでの精算をス厶ーズにし、しかも数量の合わない万引きを見抜くシステムである。【選択図】  図１
2005056370.tif 000002
【特許請求の範囲】
【請求項１】
重量計及び数量カウント機能付きのバスケットを使用し、店内の随所にバーコード読取り端末機を設置し、購入する商品を、該バーコード端末機を通してバスケットに入れ、レジで精算する際にレジの金額と品数がバスケットの端末と一致していることを確認することを特徴とした万引き防止システム。
【請求項２】
数量カウント計の外にバーコード読取り機を取付けたバスケットを使用する請求項１に記載の万引き防止システム。
【請求項３】
カウント機能付きの赤外線探知機を上縁周囲に設け、バーコード読取り機を取付けたバスケットを使用する請求項１に記載の万引き防止システム。
【発明の詳細な説明】
【技術分野】
【０００１】  本発明は、重量計、数量カウンター及びバーコード読取り機さらには赤外線探知機を設けたバスケットを使用する万引き防止システムに関する。
【背景技術】
【０００２】  スーパー店、コンビニ店等では万引きによる被害が予想以上に大きく、これによって営業が続けられなくなるというケースも見られ、この対策として防犯カメラを設置したり警備員を増したりしているが一向にその効果が現われないのが現況である。【０００３】
【特許文献１】  特開平９−１１５０６７号公報
【特許文献２】  特開平１１−２５０３５８号公報
【発明の開示】
【発明が解決しようとする課題】
【０００４】  万引き防止装置としては数多くの開発が見られる。中でも前記文献に示されている万引き防止方法は一見して実用的であるが、文献１については、磁気化されたシールやラベルを読み取りながら商品を支払い場所にて精算するものであり、文献２の方式においては、来客カウント装置を設けたもので、人体感知を目的とし、人の動きを探知する万引き防止装置である。
【課題を解決するための手段】
【０００５】  発明者は永年スーパー店を経営し、万引きに対して種々対策を考えているが、大掛りな設備とすれば経費が嵩み、経営に負担が掛るばかりか、万引き防止の効果も期待できない。【０００６】  発明者は、この点に鑑み鋭意研究を続けた結果、本発明に到達したものであって、本発明は商品に必ず付いているバーコードを利用し、これを読み取ることによって、客が購入した商品の数を重量で計る重量計、及び商品の値段を読取り機を通してレジに集約される方式とし、これをバスケットに設けることによって客はバスケットをレジに行けば、レジで集約されている金額と数量が一致して精算が簡単に出来る。また読取り機を通さない商品、即ち万引きした商品は即座に発見できる。【０００７】  また、バスケットにはカウント機能付きの赤外線探知機を組み込むことによって、商品をバスケットに入れるだけで数量及び値段の計算ができる。
【発明の効果】
【０００８】  上記のように、本発明のシステムによるときは、万引きの発見はもとより、レジでの精算が円滑になるという一石二鳥の作用効果を奏する。
【発明を実施するための最良の形態】
【０００９】  本発明の実施を円滑に行うためには、入店する客には必ず専用のバスケットを携行してもらい、バーコード読取り端末機を持参してもらうことが条件であり、これを守ることによって万引きの防止とスムーズなレジの通過が約束される。
【実施例】
【００１０】  店内の商品陳列棚の適宜個所に数量カウント機能付きのバーコード読取り端末機（１）を配設し、客は数量カウント（３）の付いたバスケットＢを持参し、配付されたバーコード端末機を持参し、希望の商品を取るごとに陳列棚近くに配置したバーコード読取り端末機を通してバスケットＢに入れる。図中の（２）はバーコード端末機を入れるポケットを示している。【００１１】  このバスケットＢには品数が増えるごとに重量が増えてカウントできる数量カウント計（３）が付いているが、赤外線センサー（４）を使用することによってもカウントが可能であるため、バスケットの上端に赤外線センサー（４）を設け、商品をバスケットＢの中に入れるたびに数がカウントされる。【００１２】  バーコード読取り端末機（１）を通った商品はレジで読取られて集計される。従って客のレジでの精算はバスケット内の商品の数と金額がレジで集計された数と金額が一致すれば直ちに支払いを済ませて精算が終了する。金額の集計はバーコード端末機が自動で集計してレシートを出して行い、この支払いは現金でもカードでもよい。【００１３】  またレジでバスケット内の商品の数と金額が一致しない場合万引きとして扱われるもので、このシステムによるときは、レジでの精算がスムーズであり、また万引きの発見も確実である。
【図面の簡単な説明】
【００１４】
【図１】店の平面図
【図２】重量計付きのバスケットの斜視図
【図３】赤外線センサー付きのバスケットの斜視図
【符号の説明】
【００１５】（１）…バーコード読取り端末機（棚側）
（２）…バーコード読取り端末機用ポケット
（３）…重量カウント計
（４）…把手
（５）…赤外線センサー
Ｂ…バスケット
【図１】
2005056370.tif 000003
【図２】
2005056370.tif 000004
【図３】
2005056370.tif 000005
(57)【要約】【課題】  設計に柔軟に対応でき、歩留まりが良く、製品寿命も長い平面ランプ装置を提供する。【解決手段】  この平面ランプ装置は、管状の透光性気密容器１の内周面に蛍光体層２を形成し、透光性気密容器の内部に水銀と放電媒体を封入し、透光性気密容器の内部両端に電極３を配設し、電極３に電流を供給する導入線４を透光性気密容器の両端それぞれに封着した蛍光ランプ１０の複数本を２枚の板ガラス６Ａ，６Ｂの間に並列させ、内部空隙を真空にしたものである。【選択図】      図２
2005056661.tif 000002
【特許請求の範囲】
【請求項１】
管状の透光性気密容器の内周面に蛍光体層を形成し、前記透光性気密容器の内部に水銀と放電媒体を封入し、前記透光性気密容器の内部両端に電極を配設し、前記電極に電流を供給する導入線を前記透光性気密容器の両端それぞれに封着した蛍光ランプの複数本を２枚の板ガラスの間に並列させたことを特徴とする平面ランプ装置。
【請求項２】
前記２枚の板ガラスと前記複数本の蛍光ランプとで囲まれる空隙を真空にしたことを特徴とする請求項１記載の平面ランプ装置。
【発明の詳細な説明】
【技術分野】
【０００１】
本発明は平面ランプ装置に関する。
【背景技術】
【０００２】
現在、平面ランプ装置として有機ＥＬパネルが利用されている。ところが、有機ＥＬパネルは寿命が短い、製造における歩留まりが低いという問題点が指摘されている。そのうち有機ＥＬパネルの寿命については、１万時間を確保することができるので、携帯電話機の表示画面として用いるには寿命が短すぎるということはない。しかしながら歩留まりについては、液晶パネルに比べて未だ低い問題点がある。これは、有機ＥＬパネルの歩留まりを左右する発光層の製造技術や製造装置が未成熟である現状による。
【０００３】
また、有機ＥＬパネルを用いた平面ランプ装置は、大面積を発光させることが困難であり、１０インチクラスを目標に様々な研究が進められている。
【発明の開示】
【発明が解決しようとする課題】
【０００４】
本発明はこのような従来の技術的課題に鑑みてなされたもので、技術的に未成熟な有機ＥＬパネルを用いることなく、低圧冷陰極蛍光ランプを用いることで有機ＥＬパネルの寿命の短さと歩留まりの低さを改善し、かつ、発光面積の設計に比較的容易に対応できる平面ランプ装置を提供することを目的とする。
【課題を解決するための手段】
【０００５】
請求項１の発明の平面ランプ装置は、管状の透光性気密容器の内周面に蛍光体層を形成し、前記透光性気密容器の内部に水銀と放電媒体を封入し、前記透光性気密容器の内部両端に電極を配設し、前記電極に電流を供給する導入線を前記透光性気密容器の両端それぞれに封着した蛍光ランプの複数本を２枚の板ガラスの間に並列させたものである。
【０００６】
請求項２の発明は、請求項１の平面ランプにおいて、前記２枚の板ガラスと前記複数本の蛍光ランプとで囲まれる空隙を真空にしたことを特徴とするものである。
【発明の効果】
【０００７】
本発明によれば、２重管構造にすることで低消費電力で効率の良く発光させることができる平面ランプ装置を提供することができる。また、発光面積の設計値に対して、用いる低圧冷陰極蛍光ランプの長さ、数を変更することで柔軟に対応することができる。
【発明を実施するための最良の形態】
【０００８】
以下、本発明の実施の形態の平面ランプ装置を図に基づいて詳説する。図１は、本発明の実施の形態の平面ランプ装置に用いる低圧冷陰極蛍光ランプ１０の構造を示している。低圧冷陰極蛍光ランプ１０は、管状ガラスランプ容器１の内周面に蛍光体層２を形成し、ランプ容器１の内部に水銀と希ガスの放電媒体を封入し、またランプ容器１の内部両端部に１対の電極３を配設し、これらの電極３に電流を供給する導入線４をランプ容器１の両端それぞれにガラスビーズ５で封着した構造である。
【０００９】
図２、図３は図１に示した低圧冷陰極蛍光ランプ１０の複数本を並列させ、上下２枚の板ガラス６Ａ，６Ｂで挟み込んで構成された平面ランプ装置を示している。この平面ランプ装置において、板ガラス６Ａ，６Ｂと低圧冷陰極蛍光ランプ１０とで囲み込む空隙１１については、真空にしてある。なお、空隙１１を真空にするために、２枚の板ガラス６Ａ，６Ｂの端部には各ランプ１０から外部に出ている導入線４だけが貫通する列設したシール材（図示せず）をはめ込んで固着する。
【００１０】
この平面ランプ装置に用いる低圧冷陰極蛍光ランプ１０の本数、各ランプの長さは、装置に求められる輝度、寸法に応じて変更対応する。
【００１１】
このような構成の平面ランプ装置では、低圧冷陰極蛍光ランプ１０を２重管構造にすることができ、低い消費電力で高い発光効率を得ることができる。
【図面の簡単な説明】
【００１２】
【図１】本発明の１つの実施の形態で使用する低圧冷陰極蛍光ランプの軸方向断面図及び軸に垂直方向の断面図。
【図２】本発明の１つの実施の形態の平面ランプ装置の縦断面図。
【図３】上記実施の形態の平面ランプ装置の水平断面図。
【符号の説明】
【００１３】
１  管状ガラスランプ容器
２  蛍光体層
３  電極
４  導入線
６Ａ，６Ｂ  板ガラス
１０  冷陰極蛍光ランプ
１１  空隙
【図１】
2005056661.tif 000003
【図２】
2005056661.tif 000004
【図３】
2005056661.tif 000005
(57)【要約】【課題】  上下逆挿入の初期段階で上下逆挿入をユーザに認知させて誤挿入による弊害を防止するメモリーカード装置を提供する。【解決手段】  メモリカード装置の本体５において、ＣＦカード１用のコネクタ２の前方に設けたフロントパネル６に設けられた挿入口７に、上下逆挿入防止用の突起８を設け、前記突起８の巾をＣＦカード１の両側に設けられたガイド溝のうち、巾が狭いガイド溝１ａより広く、巾が広いガイド溝１ｂより狭くする。【選択図】        図５
2005056169.tif 000002
【特許請求の範囲】
【請求項１】
メモリーカード用のコネクタの前方に設けた本体のフロントパネルの挿入口の左側又は右側に上下逆挿入防止用突起を設けたことを特徴とするメモリカード装置。
【請求項２】
上下逆挿入防止用突起の巾がメモリーカードの両側に設けられたガイド溝のうち巾が狭いガイド溝より広く、巾が広いガイド溝より狭いことを特徴とする請求項１記載のメモリーカード装置。
【発明の詳細な説明】
【技術分野】
【０００１】
本発明は、メモリーカード装置におけるメモリーカードのスロットへの誤挿入を防止する構造を備えたメモリーカード装置に関するものである。
【背景技術】
【０００２】
従来、図１に示すコンパクトフラッシュ（登録商標）カードと称される半導体メモリーカード（以下、ＣＦカードという。）がある。このＣＦカード１には左右に大小のガイド溝１ａ，１ｂが設けられており、ＣＦカード用のＵ字状のコネクタ２には図２に示すように前記ＣＦカードの両側に設けた大小のガイド溝１ａ，１ｂと嵌合するガイド突起３ａ，３ｂが両側のガイド部３，３に設けられていて、ＣＦカード１のコネクタ２への上下逆挿入防止が図られていた。
【０００３】
ところが、多少力を加えながら挿入すると、ＣＦカード１に押されてガイド部３，３が左右に拡がってＣＦカード１をコネクタ端子４のところまで挿入できてしまい、上下逆差挿入によるコネクタ破壊（端子折れ、端子曲がり）、カードのデータ破壊等を防止するのに十分な効果を有することができなかった。
【非特許文献１】株式会社ワイ・イー・データ、”Internal 7 in 1 Drive”、〔online〕、〔平成１５年８月１日検索〕、インターネット〈URL;http://www.yedata.co.jp/product/jps11043.html〉
【発明の開示】
【発明が解決しようとする課題】
【０００４】
そこで本発明は、上下逆挿入の初期段階で上下逆挿入をユーザに認知させて誤挿入による弊害を防止するメモリーカード装置を提供することを課題とするものである。
【課題を解決するための手段】
【０００５】
本発明は上記の課題を解決するためになされたもので、第１の発明はメモリーカード用のコネクタの前方に設けた本体のフロントパネルの挿入口の左側又は右側に上下逆挿入防止用突起を設けたことを特徴とするメモリーカード装置である。
【０００６】
第２の発明は、第１の発明において、上下逆挿入防止用突起の巾をＣＦカードの両側に設けられたガイド溝のうち巾が狭いガイド溝より広く、巾が広いガイド溝より狭いことを特徴とするメモリーカード装置である。
【発明の効果】
【０００７】
本発明は、メモリーカード装置のメモリーカード用コネクタの前方に設けられたフロントパネルの挿入口に、ＣＦカードの側面に設けられた巾の狭いガイド溝（以下、小ガイド溝という。）の巾より広く、巾の広いガイド溝（以下、大ガイド溝という。）の巾より狭い上下逆防止用突起をＣＦカードの上下正しい姿勢における巾の広いガイド溝側に設けたもので、この構成によりＣＦカードを上下逆挿入しようとする場合に、上下逆挿入防止用突起の巾が小ガイド溝より広いので、ＣＦカードの誤挿入を防止することができ、上下正しい姿勢の方向で挿入する場合は上下逆挿入防止用突起の巾が大ガイド溝より狭いので、上下逆挿入防止用突起が大ガイド溝内を通過することができるため、ＣＦカードをＣＦカード用のコネクタに装着することができる。
【０００８】
従って、上下逆挿入によりコネクタ端子のピン折れや、ピン曲げ、誤位置でのピン接触によるメモリーカードのデータ破壊等を未然に防止することができ、誤挿入の初期段階(挿入口)でユーザにメモリーカードの挿入方向が正常姿勢でないことを認識させることができる。
【発明を実施するための最良の形態】
【０００９】
図３と図４は本発明の一実施例の斜視図と正面図で、５はメモリーカード装置の本体、６はＣＦカード用のコネクタ２の前方に設けられたフロントパネル、７はフロントパネル６に設けられたＣＦカード１を挿入するコネクタ２用の挿入口、８は挿入口７に設けられた上下逆挿入防止用の突起である。
【００１０】
突起８の巾はＣＦカード１の規格の小ガイド溝１ａの巾（０．９９±０．０５ｍｍ）より広く、大ガイド溝１ｂの巾（１．６±０．０５ｍｍ）より狭い大きさである。突起８が大ガイド溝１ｂより狭い巾としたのは、正常姿勢の挿入を保証するためである。
【００１１】
図５は本発明の一実施例の概略説明図で、ＣＦカード１の大ガイド溝１ｂを突起８と向い合う正常姿勢であればＣＦカード１は挿入口７に挿入することができ、ＣＦカード１はコネクタ２に正常に装着される。
【００１２】
しかし、ＣＦカード１を上下逆にした姿勢で挿入口７に挿入しようとすると、突起８は小ガイド溝１ａより巾が広いため、ＣＦカード１は挿入口７に挿通することができない。従って、上下逆にＣＦカード１を挿入口７に挿入しようとしても挿入することができないので、ユーザはＣＦカード１を上下逆に挿入しようとしていることを認識することができ、無理なＣＦカードの挿入によるコネクタの破壊や、ＣＦカードのデータの破壊等を事前に防止することができる。
【００１３】
尚、上記実施例ではメモリーカードとしてＣＦカードを示したが、このカードに限られず、メモリーカードの側面に溝を設けたメモリーカードであれば本発明を適用できることは勿論である。
【図面の簡単な説明】
【００１４】
【図１】一般的なＣＦカードを示す斜視図。
【図２】ＣＦカード用のコネクタを示す図で、（ａ）は正面図、（ｂ）は斜視図。
【図３】本発明の一実施例の斜視図。
【図４】本発明の一実施例の正面図。
【図５】本発明の一実施例の概略説明図。
【符号の説明】
【００１５】
１    ＣＦカード
１ａ，１ｂ    ガイド溝
５    本体
６    フロントパネル
７    挿入口
８    突起
【図１】
2005056169.tif 000003
【図２】
2005056169.tif 000004
【図３】
2005056169.tif 000005
【図４】
2005056169.tif 000006
【図５】
2005056169.tif 000007